(57)【特許請求の範囲】
【請求項１】
縄の両端にグリップが設けられた縄跳びであって、
一方の前記グリップは、
当該グリップに対する前記縄の回転を検出する検出部と、
動作の開始から終了まで予め定められたテンポに基づいて発生され、予め定められた協和音に含まれる音のひとつである第１音、および、前記検出部が前記縄の回転を検出するタイミングに基づいて前記第1音に重畳して発生され、前記協和音に含まれる他の音である第２音を発生する発音部と
を有することを特徴とする縄跳び。
【請求項２】
前記発音部は、前記予め定められたテンポに対応する周期で前記第１音を発生することを特徴とする請求項１に記載の縄跳び。
【請求項３】
前記発音部は、前記第１音として、前記予め定められたテンポに基づく楽曲を示す音を発生することを特徴とする請求項１に記載の縄跳び。
【請求項４】
前記検出部が前記縄の回転を検出する周期と、前記予め定められたテンポに対応する周期との一致度を算出する一致度算出部を更に有し、
前記発音部は前記一致度に基づく音を発生することを特徴とする請求項１に記載に縄跳び。
【請求項５】
前記発音部は、前記一致度に基づく音声を発生することを特徴とする請求項４に記載の縄跳び。
【請求項６】
前記発音部は、前記検出部が前記縄の回転を検出してから前記予め定められたテンポに対応する時間が経過した後に前記第１音を発生することを特徴とする請求項１に記載の縄跳び。
【請求項７】
縄跳びのグリップであって、
前記グリップに対する前記縄跳びの縄の回転を検出する検出部と、
動作の開始から終了まで予め定められたテンポに基づいて発生され、予め定められた協和音に含まれる音のひとつである第１音、および、前記検出部が前記縄の回転を検出するタイミングに基づいて前記第1音に重畳して発生され、前記協和音に含まれる他の音である第２音を発生する発音部と
を備えることを特徴とするグリップ。
【発明の詳細な説明】
【０００１】
【発明の属する技術分野】
本発明は、縄跳び及びグリップに関する。特に本発明は、縄の両端にグリップが設けられた縄跳びに関する。
【０００２】
【従来の技術】
従来、表示部を設けた縄跳びのグリップが知られている。当該表示器は、縄跳び遊びにおいて、ユーザが連続して跳べた回数を表示する。
【０００３】
【発明が解決しようとする課題】
しかし、表示器が表示する内容をみるためには、ユーザは一旦縄跳び遊びをやめる必要があった。そのため、従来、ユーザは、自分が正しいタイミングで縄を跳んでいることを、縄跳び遊びを続けながら認識することは困難であった。
【０００４】
そこで本発明は、上記の課題を解決することのできる縄跳び及びグリップを提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態によると、縄の両端にグリップが設けられた縄跳びであって、一方のグリップは、当該グリップに対する縄の回転を検出する検出部と、動作の開始から終了まで予め定められたテンポに基づいて発生され、予め定められた協和音に含まれる音のひとつである第１音、および、検出部が縄の回転を検出するタイミングに基づいて第1音に重畳して発生され、協和音に含まれる他の音である第２音を発生する発音部とを有する。
【０００６】
発音部は、予め定められたテンポに対応する周期で第１音を発生してよい。発音部は、第１音として、予め定められたテンポに基づく楽曲を示す音を発生してもよい。
【０００７】
検出部が縄の回転を検出する周期と、予め定められたテンポに対応する周期との一致度を算出する一致度算出部を更に有し、発音部は一致度に基づく音を発生してよい。発音部は、一致度に基づく音声を発生してもよい。
【０００８】
発音部は、検出部が縄の回転を検出してから予め定められたテンポに対応する時間が経過した後に第１音を発生してもよい。
【００１０】
本発明の第２の形態によると、縄跳びのグリップであって、グリップに対する縄跳びの縄の回転を検出する検出部と、動作の開始から終了まで予め定められたテンポに基づいて発生され、予め定められた協和音に含まれる音のひとつである第１音、および、検出部が縄の回転を検出するタイミングに基づいて第1音に重畳して発生され、協和音に含まれる他の音である第２音を発生する発音部とを備える。
【００１２】
なお上記の発明の概要は、本発明の必要な特徴の全てを列挙したものではなく、これらの特徴群のサブコンビネーションも又発明となりうる。
【００１３】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【００１４】
図1は、本発明の実施形態の一例に係る縄跳び１００の概略図を示す。縄跳び１００は、縄の両端にグリップが設けられた縄跳びであって、縄１０２と、一方のグリップである第１グリップ１０４と、他方のグリップである第２グリップ１０６とを備える。また、縄跳び１００は、電子回路を内蔵する。縄１０２は、一端である第１端部１２６、及び他端である第２端部１２８を有する。第１グリップ１０４及び第２グリップ１０６は、ユーザが縄跳び遊びをするときに握るグリップである。
【００１５】
第１グリップ１０４は、縄１０２の第１端部１２６に接続される。第１グリップ１０４は、電子回路を内蔵する。第１グリップ１０４は、第１接続部１０８及び第１握部１２０を有する。
【００１６】
第１接続部１０８は、縄１０２の第１端部１２６に接続される。第１接続部１０８は、第１回転保持部２０４及び第１縄保持部２０２を含む。第１回転保持部２０４は、第１縄保持部２０２を一点鎖線Ａａが示す周回軸Ａａに対して回転可能に保持する。第１縄保持部２０２は、第１縄保持部２０２が周回軸Ａａに対して回転することにより、周回軸Ａａに対して周回可能に第１端部１２６を保持する。
【００１７】
第１握部１２０は、縄跳びを行うときに、ユーザが握る部分である。第１握部１２０は、第１接続部１０８から延伸して形成される。第１握部１２０は、第１接続部１０８の一部である第１回転保持部２０４と一体に形成される。
【００１８】
第２グリップ１０６は、縄１０２の第２端部１２８に接続される。第２グリップ１０６は、第２端部１２８の近傍における縄１０２の中心軸に対して第２端部１２８を回転可能に、第２端部１２８を保持する。第２グリップ１０６は、第２接続部１３２及び第２握部１３４を有する。第２接続部１３２は、第２端部１２８に接続される。
【００１９】
第２接続部１３２は、第２縄保持部５０２及び第２回転保持部５０８を含む。第２縄保持部５０２は、第２端部１２８を、回転可能に保持する。第２回転保持部５０８は、第２縄保持部５０２を保持する。
【００２０】
第２握部１３４は、縄跳びを行うときに、ユーザが握る部分である。第２握部１３４は、第２接続部１３２から延伸して形成される。第２握部１３４は、第２接続部１３２の一部である第２回転保持部５０８と一体に形成される。
【００２１】
以下、第１握部１２０について更に詳しく説明する。第１握部１２０は、第１接続部１０８から延伸して形成された中間部１１０と、中間部１１０から延伸して形成された受付部１１２とを含む。
【００２２】
第１接続部１０８、中間部１１０、及び受付部１１２のそれぞれは、中間部１１０が延伸する方向である延伸方向において、それぞれ長さｌ１、ｌ２、及びｌ３を有する、ｌ２は、ｌ１及びｌ３のいずれよりも大である。すなわち、延伸方向において、中間部１１０は、第１接続部１０８及び受付部１１２のいずれよりも長い。中間部１１０は、第１接続部１０８との境界における延伸方向に垂直な第１断面１１４、及び延伸の終端における延伸方向に垂直な第２断面１１６を有する。中間部１１０は、第１断面１１４を挟んで第１接続部１０８と対向する。中間部１１０は、第２断面１１６を挟んで受付部１１２と対向する。
【００２３】
中間部１１０における延伸方向に垂直な断面の面積は、延伸方向に対して漸増する。すなわち、中間部１１０における延伸方向に垂直な断面の面積は、第１断面１１４において最小であり、第２断面１１６において最大である。第１断面１１４の面積は、第２断面１１６の面積より小さい。また、第１断面１１４及び第２断面１１６は、略円形である。第１断面１１４の径は第２断面１１６の径より小さい。
【００２４】
受付部１１２は、中間部１１０の終端から延伸して形成される。また、受付部１１２は、第１グリップ１０４が内蔵する電子回路に対する操作を受け付ける。受付部１１２は、当該電子回路に対する操作を受け付けるスイッチである第１スイッチ１２２及び第２スイッチ１２４を含む。また、受付部１１２は、延伸方向に垂直な第３断面１１８を有する。第３断面１１８は、受付部１１２において、第１スイッチ１２２及び第２スイッチ１２４を挟んで中間部１１０と対向する断面である。第３断面１１８の面積は、中間部１１０の第２断面１１６の面積より小さい。受付部１１２における延伸方向に垂直な断面の面積は、延伸方向に対して漸減する。
【００２５】
本実施形態においては、第２断面１１６の面積が、第１断面１１４の面積より大きいため、ユーザは自然に中間部１１０における第１接続部１０８に近い部分を握る。そのため、ユーザは、第１グリップ１０４における第１スイッチ１２２及び第２スイッチ１２４から遠い部分を自然に握る。そのため、本実施形態によれば、縄跳び遊びをするユーザが、第１スイッチ１２２又は第２スイッチ１２４を不用意に触れるのを防ぐことができる。これにより、縄跳び遊びをするユーザが、縄跳び１００が内蔵する電子回路を誤操作するのを防ぐことができる。
【００２６】
また、本実施形態において、受付部１１２は、第２断面１１６より小さな面積を有する第３断面１１８を含む。そのため、本実施形態によれば、ユーザは中間部１１０と受付部１１２との境界を適切に認識し、第１グリップ１０４を正しく握ることができる。これにより、縄跳び遊びをするユーザが、第１スイッチ１２２又は第２スイッチ１２４に不用意に触れ、電子回路を誤操作するのを更に防ぐことができる。
【００２７】
図２は、本実施形態に係る受付部１１２を示す図である。本実施形態において、第１スイッチ１２２は、図１に関連して説明した中間部１１０が延伸する方向である延伸方向にスライドするスライドスイッチである。第１スイッチ１２２は、受付部１１２の表面と略同一面上に形成される。この場合、ユーザが不用意に第１スイッチ１２２に触れたとしても、第１スイッチ１２２は操作されにくい。これにより、ユーザが第１スイッチ１２２を誤操作するのを防止することができる。尚、第１スイッチ１２２は、電子回路に対する動作開始指示及び動作終了指示をユーザから受け取る電源スイッチである。また、第１スイッチ１２２は、受付部１１２の表面の外側に突出する突出部１３６を含む。これにより、ユーザが意識的に第１スイッチ１２２を操作する場合には、ユーザは容易に第１スイッチ１２２を操作することができる。
【００２８】
第２スイッチ１２４は、第１スイッチ１２２と同一又は同様の構造を有する。第２スイッチ１２４は、電子回路の動作モードを切り換える指示をユーザから受け取るモード設定スイッチである。電子回路は、第２スイッチ１２４による動作モードの切り換えに応じて、電子回路が含む発音部が発音する音を変更する。
【００２９】
図３は、本実施形態に係る第１縄保持部２０２の動作を説明する図である。本図は、図1おける点Ａから点ａに向かう方向に見た場合の第１縄保持部２０２を示す。第１縄保持部２０２は、縄１０２の第１端部１２６を図１に関連して説明した周回軸Ａａに対して周回可能に保持する。ユーザが行う縄跳び遊びによって生じる縄１０２の回転に応じて、第１端部１２６は円３０２の円周上を周回する。また、第１端部１２６の当該周回に伴って、第１縄保持部２０２は周回軸Ａａに対して回転する。
【００３０】
図４は、本実施形態に係る第１グリップ１０４における第１縄保持部２０２、第１回転保持部２０４、及び第１握部１２０の断面を示す。第１縄保持部２０２は、突出部３３４、凸部３０６、凸部支持部３３６、穴部３１０、及びピン３１２を含む。第１縄保持部２０２は、略半球形状を有する。
【００３１】
突出部３３４は、周回軸Ａａと垂直な円の円周方向に延伸して、第１回転保持部２０４の内壁に向かって突出する。突出部３３４は、当該突出により、第１回転保持部２０４の内壁と係合する。突出部３３４は、第１回転保持部２０４の内壁に対して、当該周回軸Ａａと垂直な円の円周方向に滑動する。これにより、第１回転保持部２０４は、第１縄保持部２０２を、周回軸Ａａに対して回転可能に保持する。
【００３２】
凸部３０６は、第１縄保持部２０２における突出した部分である。凸部３０６は、周回軸Ａａから離れた位置において、周回軸Ａａと略平行に突出する。凸部３０６は、第１縄保持部２０２の周回軸Ａａに対する回転に伴って、第１回転保持部２０４に対して、周回軸Ａａの周りを周回する。これにより、凸部３０６は、第１端部１２６の周回に応じて、周回軸Ａａに対して周回する。
【００３３】
凸部支持部３３６は、凸部３０６を支持する。凸部支持部３３６は、周回軸Ａａと略平行に第１回転保持部２０４の内部を第１握部１２０に向かって貫通して形成される。凸部支持部３３６は、凸部３０６を第１握部１２０の内部において支持する。
【００３４】
穴部３１０は、円錐面３２２の母線の方向に窪んだ穴である。穴部３１０は、第１縄保持部２０２を貫通する貫通孔である。穴部３１０は、縄１０２における第１端部１２６から更に延伸する部分を収容する。穴部３１０は、第１接続部１０８の表面に開口部３２８を有する。尚、円錐面３２２は、周回軸Ａａ上に軸３２６を有し、底面である円３０２が頂点３０４を挟んで第１断面１１４と対向する円錐面である。
【００３５】
ピン３１２は、貫通孔である穴部３１０の、開口部３２８と反対側の開口部において縄１０２を貫通する。ピン３１２は、当該貫通により、第１端部１２６を第１縄保持部２０２に対して固定する。
【００３６】
第１縄保持部２０２は、穴部３１０の開口部３２８において第１端部１２６を保持する。第１縄保持部２０２は、周回軸Ａａに対して回転する。これにより、第１縄保持部２０２は、第１端部１２６を周回軸Ａａに対して周回可能に保持する。すなわち、第１縄保持部２０２は、第１端部１２６の近傍における縄１０２の中心軸３２０を予め定められた円錐面３２２の母線と平行に保持し、第１端部１２６を円錐面３２２の軸３２６を含む周回軸Ａａに対して周回可能に保持する。第１縄保持部２０２は、第１端部１２６の周回軸Ａａに対する周回に応じて、周回軸Ａａに対して回転する。
【００３７】
第１回転保持部２０４は、突出部３３４が突出する方向に窪み、周回軸Ａａと垂直な円の円周方向に延伸する溝３３２を内壁に有する。第１回転保持部２０４は、溝３３２と突出部３３４とを係合させることにより、第１縄保持部２０２を、周回軸Ａａに対して回転可能に保持する。
【００３８】
第１握部１２０は、第１グリップ１０４が内蔵する電子回路の一例である検出部４０２及び信号生成部４０４を有する。検出部４０２は、係合部３０８を含む。係合部３０８は、検出部４０２において、周回軸Ａａに向かって突出する部分である。係合部３０８は、凸部３０６が周回軸Ａａに対して周回する毎に凸部３０６と係合する。検出部４０２は、係合部３０８が凸部３０６と係合した場合に、第１端部１２６の周回軸Ａａに対する周回を検出する。別の実施例において、検出部４０２は、第１縄保持部２０２の回転を検出するフォトダイオードを有してもよい。この場合、第１縄保持部２０２は、切欠部を有するのが好ましい。切欠部は第１縄保持部２０２の回転に応じて周回軸Ａａに対して周回する。フォトダイオードは、当該切欠部が近傍を通過するのを検出する。これにより、検出部４０２は、第１端部１２６の周回軸Ａａに対する周回を検出する。また、信号生成部４０４は、検出部４０２が第１端部１２６の周回軸Ａａに対する周回を検出した場合に検出信号を出力する。
【００３９】
縄跳び遊びにおいては、ユーザが縄１０２を跳ぶのに伴って縄１０２が回転する。第１端部１２６は、縄１０２の回転に伴って、周回軸Ａａに対して周回する。第１縄保持部２０２は、第１端部１２６の周回に伴って周回軸Ａａに対して回転する。凸部３０６は、第１縄保持部２０２の回転に伴って周回軸Ａａに対して周回する。検出部４０２が含む係合部３０８は、凸部３０６が周回軸Ａａの周りを１周する毎に凸部３０６と係合する。これにより、検出部４０２は、縄１０２の回転を高い精度で検出することができる。本実施形態によれば、縄の回転を高い精度で検出できる縄跳びを提供することができる。また、第１縄保持部２０２は、第１端部１２６の近傍における縄１０２の中心軸３２０を円錐面の母線と平行に保持する。そのため、本実施形態によれば、中心軸３２０と第１グリップ１０４がなす角度を適切に保つことができる。これにより、第１グリップ１０４を壊れにくく、かつ、縄１０２を切れにくくすることができる。
【００４０】
図５は、本実施形態に係る第２グリップ１０６における第２縄保持部５０２、第２回転保持部５０８、及び第２握部１３４の断面を示す。第２縄保持部５０２は、第２端部１２８の近傍における縄１０２の中心軸３３０に対して第２端部１２８を回転可能に、第２端部１２８を保持する。第２縄保持部５０２は、表面部５１０、スリーブ５０４、及びストッパー５０６を含む。
【００４１】
表面部５１０は、第２縄保持部５０２の外壁を略含む部分である。表面部５１０は、縁部において第２回転保持部５０８と接触する略半球殻形状体である。表面部５１０は、第２回転保持部５０８の外壁と係合する雌ネジの溝を内壁に有する。表面部５１０は、当該雌ネジによって第２回転保持部５０８と係合する。表面部５１０は、第２回転保持部５０８に対して固定して形成される。
【００４２】
また、表面部５１０は、第２端部１２８の近傍における縄１０２の中心軸３３０を略中心軸とする、貫通孔５１２を更に有する。表面部５１０は、縄１０２における第２端部１２８から更に延伸する部分を、貫通孔５１２を貫通させて第２接続部１３２の内部に収容する。
【００４３】
スリーブ５０４は、一端を貫通孔５１２の開口部から突出させて、第２接続部１３２の内部に形成された筒状体である。スリーブ５０４は、当該一端から中心軸３３０と略平行に、第２接続部１３２の内側に向かう方向に延伸して形成される。スリーブ５０４は、当該筒状体の内部に、縄１０２における第２端部１２８から更に延伸する部分を収容する。スリーブ５０４は、当該部分を収容することにより、第２端部１２８を保持する。また、スリーブ５０４における、中心軸３３０に垂直な断面の面積は、貫通孔５１２から突出する一端から他端に向かう方向に対して漸増する。これにより、当該他端から当該一端に向かう方向において、貫通孔５１２の近傍における表面部５１０の内壁は、スリーブ５０４を回転可能に係止する。
【００４４】
ストッパー５０６は、少なくとも一部がスリーブ５０４の内部に挿入された筒状体である。ストッパー５０６は、第２回転保持部５０８から第２縄保持部５０２に向かう方向に、スリーブ５０４の内部に挿入される。ストッパー５０６は、縄１０２における第２端部１２８から更に延伸する部分を内部に収容する。ストッパー５０６は、内壁において縄１０２の表面と接触し、外壁においてスリーブ５０４の内壁と接触する。ストッパー５０６は、縄１０２の表面、及びスリーブ５０４の内壁と接触することにより、縄１０２をスリーブ５０４に対して固定する。これにより、第２端部１２８が中心軸３３０に対して回転した場合、スリーブ５０４は、表面部５１０に対して中心軸３３０の周りに回転する。
【００４５】
第２回転保持部５０８は、表面部５１０の雌ネジの溝に対応する雄ネジの溝を外壁に有する。第２回転保持部５０８は、当該雄ねじの溝と当該雌ネジの溝とを係合させることにより表面部５１０を固定する。第２回転保持部５０８は、内壁から中心軸３３０に向かう方向に延伸して形成された回転係止部５１４を更に有する。回転係止部５１４の当該延伸の先端部は、スリーブ５０４を挟んで、貫通孔５１２と略対向する。回転係止部５１４は、中心軸３３０と平行に第２縄保持部５０２から第２回転保持部５０８に向かう方向に対し、スリーブ５０４を回転可能に係止する。これにより、第２回転保持部５０８は、スリーブ５０４を中心軸３３０に対して回転可能に保持する。
【００４６】
図４に関連して説明した第１グリップ１０４は、縄１０２の一端である第１端部１２６を周回軸Ａａに対して周回可能に保持する。一方、第２グリップ１０６は、縄１０２の他端である第２端部１２８を、第２端部１２８の近傍における縄１０２の中心軸３３０に対して回転可能に保持する。この場合、縄跳び遊びをするユーザが縄を跳ぶことにより生じる縄１０２の回転に伴う力を、効率よく第１グリップ１０４に伝達することができる。そのため、ユーザが縄を跳んだ場合に、第１端部１２６は、第１グリップ１０４が有する第１縄保持部２０２を、周回軸Ａａに対して確実に回転させる。これより、第１グリップ１０４は、高い精度で縄１０２の回転を検出することができる。
【００４７】
また、第２端部１２８は、縄１０２がねじれを生じた場合に、中心軸３３０に対して回転する。そのため、縄１０２にねじれが生じた場合にも、当該ねじれを解消することができる。そのため、第１グリップ１０４に縄１０２のねじれによる力が加わるのを防止することができる。これにより、第１グリップ１０４は、更に高い精度で、縄１０２の回転を検出することができる。
【００４８】
また、第２グリップ１０６は、第１グリップ１０４と比べて簡素な構造を有する。そのため、本実施形態によれば、低いコストで第２グリップ１０６を製造することができる。これにより、本実施形態によれば、低いコストで縄跳び１００を提供することができる。
【００４９】
図６は、本実施形態に係る第１グリップ１０４の機能構成の一例を示す。本実施形態において、第１グリップ１０４は、検出部４０２、信号生成部４０４、発音部４０６、一致度算出部４０８、及び受付部１１２を有する。尚、図１に関連して説明した縄跳び１００は、縄１０２及び第２グリップ１０６を更に備える。別の実施例においては、第２グリップ１０６が、検出部４０２、信号生成部４０４、発音部４０６、一致度算出部４０８、及び受付部１１２の一部を有してもよい。この場合、縄１０２は、第１グリップ１０４と第２グリップ１０６とを電気的に接続する配線を有する。
【００５０】
検出部４０２は、縄跳び遊びをするユーザが縄１０２を跳ぶことにより生じる、第１グリップ１０４に対する縄１０２の回転を検出する。これにより、検出部４０２、縄跳び遊びをするユーザが縄１０２を跳ぶのを検出する。
【００５１】
信号生成部４０４は、検出部４０２が縄１０２の回転を検出した場合に検出信号を出力する。信号生成部４０４は、検出信号を発音部４０６及び一致度算出部４０８に供給する。
【００５２】
受付部１１２は、ユーザの指示に基づいて予め定められたテンポである基準テンポを設定する。受付部１１２は、図１に関連して説明した第２スイッチ１２４によりユーザの指示を受け取る。
【００５３】
一致度算出部４０８は、検出部４０２が縄１０２の回転を検出する検出周期と、基準テンポに対応する基準周期との一致度を算出する。一致度算出部４０８は、検出周期と基準周期との差に基づいて一致度を算出する。一致度算出部４０８は、検出信号に基づいて検出周期を算出する。
【００５４】
本実施形態において、一致度算出部４０８は、ユーザが縄跳び遊びをする予め定められた時間において、検出周期と基準周期との差が予め定められた一致判定範囲内となる割合を一致度として算出する。この場合、一致度算出部４０８は、検出部４０２が縄１０２の回転を検出する毎に、当該差が一致判定範囲内であるか否かを検知する。更に、一致度算出部４０８は、当該予め定められた時間において、当該差は一致判定範囲内であると検知した回数を記憶する。更に、一致度算出部４０８は、当該検知した回数を、検出部４０２が縄１０２の回転を検出した回数で除した値を一致度として算出する。
【００５５】
別の実施例において、一致度算出部４０８は、検出周期と基準周期との差の逆数の絶対値を一致度として算出してよい。一致度算出部４０８は、ユーザが縄跳び遊びをする予め定められた時間における、当該絶対値の平均値を一致度として算出してもよい。
【００５６】
発音部４０６は、基準テンポに基づく第１音と、検出部４０２が縄１０２の回転を検出するタイミングに基づく第２音とを発生する。本実施形態において、発音部４０６は、基準テンポに対応する周期で第１音を発生する。発音部４０６は、第１音を発生することにより、ユーザが縄を跳ぶタイミングをユーザに指示する。別の実施例において、発音部４０６は、検出部４０２が縄１０２の回転を検出してから基準テンポに対応する時間が経過した後に第１音を発生してもよい。
【００５７】
発音部４０６は、第１音として予め定められた協和音に含まれる一の音を発生し、第２音として当該協和音に含まれる他の音を発生する。本実施形態において、発音部４０６は、第１音及び第２音として、協和音の一例である長調（メジャー）和音が含む一の音及び他の音をそれぞれ発生する。この場合、縄跳び遊びをするユーザが基準テンポに対応するタイミングで縄を跳ぶと、発音部４０６は、第１音と第２音とを含む協和音を発生する。ユーザは、当該タイミングで縄を跳んだ場合に心地よい協和音を聞くことができるため、基準テンポに合わせて縄を跳ぶことに集中できる。
【００５８】
発音部４０６は、ユーザの指示に基づいて予め定められた第１音を発生する。発音部４０６は、基準テンポに対応する第１音を発生する。発音部４０６は、基準テンポが第１の速さの場合は、第１音として、Ｃ３（ド）の音階の音を発生する。発音部４０６は、基準テンポが第２の速さの場合は、第１音として、Ｇ３（ソ）の音階の音を発生する。発音部４０６は、基準テンポが第３の速さの場合は、第１音として、Ｃ４（ド）の音階の音を発生する。
【００５９】
また、発音部４０６は、第２音として、Ｅ３（ミ）の音階の音を発生する。発音部４０６は、検出部４０２が縄１０２の回転を検出した場合に第２音を発生する。発音部４０６は、信号生成部４０４が出力する検出信号に応じて第２音を発生する。これにより、発音部４０６は、縄跳び遊びをするユーザが縄を跳ぶのに応じて第２音を発生する。
【００６０】
別の実施例において、発音部４０６は、第１音及び第２音として、協和音の一例である短調（マイナー）和音が含む一の音及び他の音をそれぞれ発生してもよい。発音部４０６は、第１音及び第２音として予め定められた和音が含む一の音及び他の音をそれぞれ発生してもよい。発音部４０６は、第１音として複数の音を含む和音を発生してよい。発音部４０６は、第２音として複数の音を含む和音を発生してよい。
【００６１】
また、発音部４０６は、一致度に基づく音を発生する。発音部４０６は、一致度に基づく音声を発生する。発音部４０６は、一致度が予め定められた判定値より高い場合、ユーザを喜ばせる音声を発生する。この場合、発音部４０６は、例えば“グッド”という音声を発声する。一方、発音部４０６は、一致度が当該予め定められた判定値以下の場合、ユーザを残念がらせる音声を発生する。この場合、発音部４０６は、例えば、“バッド”という音声を発声する。
【００６２】
本実施形態において、ユーザが基準テンポに対応するタイミングで縄を跳んだ場合には、発音部４０６は、第１音及び第２音に基づく協和音を発生する。そのため、本実施形態によれば、縄跳び遊びをするユーザは、縄跳び遊びを続けながら、自分が基準テンポに対応するタイミングである正しいタイミングで縄を跳んでいることを認識することができる。また、ユーザが縄を跳ぶタイミングが正しいタイミングと異なる場合には、発音部４０６は、第１音と第２音とを異なるタイミングで発生する。そのため、ユーザは、縄跳び遊びを続けながら、自分が正しいタイミングで縄を跳べていないことを認識することができる。
【００６３】
別の実施例において、発音部４０６は、第１音として、基準テンポに基づく楽曲を示す音を発生してよい。この場合も、当該楽曲のテンポと、発音部４０６が第２音を発生するタイミングとに基づいて、ユーザは、縄跳び遊びを続けながら、自分が正しいタイミングで縄を跳べているか否かを判断することができる。発音部４０６は、第１音として、ユーザの指示に基づいて、基準テンポに基づく楽曲を示す音、又は、基準テンポに対応する周期で発生される音のいずれかを発生してもよい。発音部４０６は予め複数の楽曲を格納し、ユーザの指示に基づいて選択された一の楽曲を示す音を発生してもよい。この場合、図１に関連して説明した第２スイッチ１２４が当該ユーザの指示を受け取ってよい。また、発音部４０６は、第２音として、検出部４０２が縄１０２の回転を検出するタイミングに基づくテンポの楽曲を示す音を発生してもよい。この場合も、発音部４０６が第１音を発生するタイミングと、当該楽曲のテンポとに基づいてユーザは、縄跳び遊びを続けながら、自分が正しいタイミングで縄を跳べているか否かを判断することができる。
【００６４】
また、更に別の実施例において、一致度算出部４０８は、一致度に基づく点数を算出してもよい。この場合、第１グリップ１０４は、当該点数を表示する表示部を有してよい。また、発音部４０６が、当該点数を示す音声を発生してもよい。一致度算出部４０８は、検出部４０２が縄１０２の回転を検出する毎に、一致度を算出してもよい。この場合、発音部４０６は、一致度が予め定められた値以上である場合に予め定められた協和音を発生し、一致度が当該予め定められた値より小さい場合に予め定められた不協和音を発生してよい。この場合、発音部４０６は、ユーザが正しいタイミングで縄を跳んだ場合に協和音を発生し、ユーザが正しいタイミングと異なるタイミングで縄を跳んだ場合に不協和音を発生する。そのため、本例においても、ユーザは、自分が正しいタイミングで縄を跳べているか否かを判断することができる。
【００６５】
図７は、本実施形態に係る縄跳び１００の動作の一例を示すフローチャートである。本実施形態においては、最初に、図６に関連して説明した受付部１１２が受け取るユーザの指示に基づいて、図６に関連して説明した発音部４０６は、第１音の発生を開始する（ステップＳ１０２）。発音部４０６は、基準テンポに対応する周期で第１音を発生する。
【００６６】
次に、図６に関連して説明した検出部４０２は、図１に関連して説明した縄跳び１００の縄１０２の回転を検出する（Ｓ１０４）。検出部４０２が、当該回転を検出しない場合、検出部４０２は、再度、縄１０２の回転を検出する（Ｓ１０４）。一方、検出部４０２が、当該回転を検出した場合、図６に関連して説明した信号生成部４０４は検出信号を出力し、発音部４０６は、検出信号に応じて第２音を発生する（Ｓ１０６）。
【００６７】
本実施形態においては、次に、発音部４０６が、第１音の発生を終了するか否かを判定する（Ｓ１０８）。発音部４０６は、第１音の発生を開始してから予め定められた時間が経過した場合に、第１音の発生を終了すると判定する。発音部４０６は、受付部１１２から受け取るユーザの指示に基づいて、当該判定を行ってもよい。
【００６８】
発音部４０６が、第１音の発生を終了しないと判定した場合、検出部４０２は、再度、縄１０２の回転を検出する（Ｓ１０４）。一方、発音部４０６が、第１音の発生を終了すると判定した場合、縄跳び１００は、動作を終了する。
【００６９】
以上、本発明を実施形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。
【００７０】
【発明の効果】
上記説明から明らかなように、本発明によれば、ユーザは、縄跳び遊びを続けながら、自分が正しいタイミングで縄を跳んでいることを認識することができる。
【図面の簡単な説明】
【図１】  本発明の実施形態の一例に係る縄跳び１００の概略図を示す。
【図２】  本実施形態に係る受付部１１２を示す図である
【図３】  本実施形態に係る第１縄保持部２０２の動作を説明する図である。
【図４】  本実施形態に係る第１グリップ１０４の断面を示す。
【図５】  本実施形態に係る第２グリップ１０６の断面を示す。
【図６】  本実施形態に係る第１グリップ１０４の機能構成の一例を示す。
【図７】  本実施形態に係る縄跳び１００の動作の一例を示すフローチャートである。
【符号の説明】
１００・・・縄跳び、１０２・・・縄、１０４・・・第１グリップ、１０６・・・第２グリップ、１０８・・・第１接続部、１１０・・・中間部、１１２・・・受付部、１１４・・・第１断面、１１６・・・第２断面、１１８・・・第３断面、１２０・・・第１握部、１２２・・・第１スイッチ、１２４・・・第２スイッチ、１２６・・・第１端部、１２８・・・第２端部、１３２・・・第２接続部、１３４・・・第２握部、１３６・・・突出部、２０２・・・第１縄保持部、２０４・・・第１回転保持部、３０２・・・円、３０４・・・頂点、３０６・・・凸部、３０８・・・係合部、３１０・・・穴部、３１２・・・ピン、３２０・・・中心軸、３２２・・・円錐面、３２６・・・軸、３２８・・・開口部、３３０・・・中心軸、３３２・・・溝、３３４・・・突出部、３３６・・・凸部支持部、４０２・・・検出部、４０４・・・信号生成部、４０６・・・発音部、４０８・・・一致度算出部、５０２・・・第２縄保持部、５０４・・・スリーブ、５０６・・・ストッパー、５０８・・・第２回転保持部、５１０・・・表面部、５１２・・・貫通孔、５１４・・・回転係止部、
【図１】
0003763528.tif 000002
【図２】
0003763528.tif 000003
【図３】
0003763528.tif 000004
【図４】
0003763528.tif 000005
【図５】
0003763528.tif 000006
【図６】
0003763528.tif 000007
【図７】
0003763528.tif 000008